(57)【要約】【課題】２極２相のコンデンサ電動機の固定子において、渡り線と内周側の回転子のエンドリングとの絶縁距離を十分に確保できるコンデンサ電動機の固定子の提供を目的とする。【解決手段】コンデンサ電動機１３の固定子８は分割鉄心体ａ１に樹脂で成型された絶縁体４を介し２極のＡ相巻線５と２極のＢ相巻線６とを交互に配列するように各々連続的に渡り線７を配して直巻き巻装し、分割鉄心体ｂ２を組み合わせて環状に一体化して固定子８を構成し、絶縁体４の内壁の両端上部に芯治具を固定するための機構と渡り線７と保持する機構を設け、渡り線７と内周側の回転子１２のエンドリング１１との絶縁距離１５を十分に確保できる。【選択図】図１
2007097328.tif 000002
【特許請求の範囲】
【請求項１】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに２つの溝を形成したコンデンサ電動機の固定子。
【請求項２】
前記絶縁体の両端上部の２つの溝を形成する外周側の柱が内周側の柱より低い請求項１記載のコンデンサ電動機の固定子。
【請求項３】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに段部を有する溝を形成したコンデンサ電動機の固定子。
【請求項４】
前記絶縁体の両端上部の段部を有する溝を形成する柱が段部より低い請求項３記載のコンデンサ電動機の固定子。
【請求項５】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に２つの溝を形成し、他方に１つの溝を形成したコンデンサ電動機の固定子。
【請求項６】
前記絶縁体の両端上部の２つの溝を形成する外周側の柱を内周側の柱より低くし、かつ他方の１つの溝を形成する柱の高さと同等にした請求項５記載のコンデンサ電動機の固定子。
【請求項７】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に段部を有する溝を形成し、他方に１つの溝を形成したコンデンサ電動機の固定子。
【請求項８】
前記絶縁体の両端上部の段部を有する溝を形成する柱を段部より低くし、かつ他方の１つの溝を形成する柱の高さと同等にした請求項７記載のコンデンサ電動機の固定子。
【請求項９】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに１つの溝を形成し、それぞれ溝の位置が径方向に異なるコンデンサ電動機の固定子。
【請求項１０】
前記絶縁体の両端上部の外周側の溝を形成する柱を内周側の溝を形成する柱より低くした請求項９記載のコンデンサ電動機の固定子。
【請求項１１】
前記絶縁体の両端上部の溝の深さが異なる請求項９または請求項１０記載のコンデンサ電動機の固定子。
【請求項１２】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に溝を形成し、他方に段差形状を形成したコンデンサ電動機の固定子。
【請求項１３】
前記絶縁体の両端上部の一方の溝を形成する柱を他方の段差より低くした請求項１２記載のコンデンサ電動機の固定子。
【請求項１４】
歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方のみに溝を形成したコンデンサ電動機の固定子。
【請求項１５】
前記絶縁体の両端上部の溝を形成する柱の溝側をＲ形状とした請求項１から請求項１４載のコンデンサ電動機の固定子。
【発明の詳細な説明】
【技術分野】
【０００１】
本発明は複数に分割し積層された固定子鉄心を組み合わせて一体化してなるコンデンサ電動機の固定子に関する。
【背景技術】
【０００２】
従来、この種のコンデンサ電動機の固定子においては、複数に分割した分割鉄芯体ａに対し絶縁体を装着して各相別に巻線を巻装し、環状に一体化する構成とした固定子が知られている（例えば特許文献１参照）。
【０００３】
以下、そのコンデンサ電動機の固定子について、図３６を参照しながら説明する。
【０００４】
図３６に示すように、固定子鉄芯１００を４個の分割鉄芯体ａ１０１が４個と分割鉄芯体ｂ１０２が４個の計８個に分割し、分割鉄芯体ａ１０１は回転子孔１０３の外周に略放射状となるように配置され、分割鉄心体ａ１０１に絶縁体１０４を介し２極のＡ相巻線１０５と２極のＢ相巻線１０６とを交互に配列するように各々連続的に渡り線１０７を配して直巻き巻装し、分割鉄芯体ｂ１０２を組み合わせ一体化する構成のコンデンサ電動機の固定子１０８としていた。
【特許文献１】特開２００１―２３８３７８号公報
【発明の開示】
【発明が解決しようとする課題】
【０００５】
このような従来のコンデンサ電動機の固定子では、４個の分割鉄心体ａを固定子の正規の寸法で円柱状の芯治具に環状に固定するため、この芯治具を絶縁体に固定するための機構と、その近傍に渡り線の保持するための機構を一つの溝としており、隣接する絶縁体間には隙間が有り、これにより渡り線と内周側の回転子のエンドリングとの絶縁距離が不足してしまうという課題があり、絶縁距離を確保することが要求されている。
【０００６】
本発明は、このような従来の課題を解決するものであり、絶縁体の内壁の両端上部に芯治具を固定するための機構と渡り線を保持する機構を設け、渡り線と内周側の回転子のエンドリングとの絶縁距離を十分に確保することができるコンデンサ電動機の固定子を提供することを目的としている。
【０００７】
また、このような従来のコンデンサ電動機の固定子では、絶縁体の両端上部の渡り線の保持用の機構が複雑になり、絶縁体の金型加工工数の増大や成型が難しいという課題があり、絶縁体の形状を簡略化することが要求されている。
【０００８】
本発明は、このような従来の課題を解決するものであり、絶縁体の両端上部の形状を非対称にすることにより、絶縁体の形状を簡略化することのできるコンデンサ電動機の固定子を提供することを目的としている。
【課題を解決するための手段】
【０００９】
本発明のコンデンサ電動機の固定子は上記目的を達成するために、絶縁体の内壁の両端上部に芯治具を固定するための機構と渡り線の保持用の機構を設けたものである。
【００１０】
この手段により渡り線が内周側に寄ることなく外周側で保持できるため、渡り線と内周側の回転子のエンドリングとの絶縁距離を十分に確保できるコンデンサ電動機の固定子が得られる。
【００１１】
また、第２の目的を達成するために、絶縁体の両端上部の形状を非対称したものである。
【００１２】
この手段により４個の分割鉄心体ａを環状にしたとき、隣接するの絶縁体の上部の機構が異なり、一方の機構を芯治具に固定するために利用し、他方の機構を渡り線の保持で利用することができるため、絶縁体の形状を簡略化できるコンデンサ電動機の固定子が得られる。
【発明の効果】
【００１３】
本発明によれば絶縁体の内壁の両端上部に芯治具を固定するための機構と渡り線と保持する機構を設け、渡り線と内周側の回転子のエンドリングとの絶縁距離を十分に確保できるという効果のあるコンデンサ電動機の固定子を提供できる。
【００１４】
また、本発明によれば絶縁体の両端上部を非対称形状により、絶縁体の形状を簡略化できるという効果のあるコンデンサ電動機の固定子を提供できる。
【発明を実施するための最良の形態】
【００１５】
本発明の請求項１記載の発明は、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに２つの溝を形成したもので、内周側の溝を芯治具の固定用に利用し、外周側の溝を渡り線の保持用に利用し、渡り線が内周側に寄ることなく外周側で保持できるため、渡り線と内周側の回転子のエンドリングとの絶縁距離を十分に確保できるという作用を有する。
【００１６】
また、前記絶縁体の両端上部の２つの溝を形成する外周側の柱が内周側の柱より低くしたものであり、溝に渡り線を外周方向のほぼ水平位置からも挿入でき、作業性を向上させるという作用を有する。
【００１７】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに段部を有する溝を形成したもので、段部を芯治具の固定用に利用し、溝を渡り線の保持用に利用し、渡り線が内周側に寄ることなく外周側で保持できるため、渡り線と内周側の回転子のエンドリングとの絶縁距離を十分に確保できるという作用を有する。
【００１８】
また、前記絶縁体の両端上部の段部を有する溝を形成する柱が段部より低くしたものであり、溝に渡り線を外周方向のほぼ水平位置からも挿入でき、作業性を向上させるという作用を有する。
【００１９】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に２つの溝を形成し、他方に１つの溝を形成したもので、４個の分割鉄心体ａを環状にしたとき、隣接するの絶縁体の上部の溝の形状が異なり、一方の２つの溝の内周側を芯治具に固定するために利用し、外周側の溝を渡り線の保持で利用することができるため、渡り線が内周側に寄ることなく外周側で保持でき、渡り線と内周側の回転子のエンドリングとの絶縁距離を十分に確保し、かつ絶縁体の形状を簡略化でき、絶縁体の金型加工工数の低減や成型を容易にできるという作用を有する。
【００２０】
また、前記絶縁体の両端上部の２つの溝を形成する外周側の柱を内周側の柱より低くし、かつ他方の１つの溝を形成する柱の高さと同等にしたものであり、溝に渡り線を外周方向のほぼ水平位置からも挿入でき、作業性を向上させるという作用を有する。
【００２１】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に段部を有する溝を形成し、他方に１つの溝を形成したものであり、４個の分割鉄心体ａを環状にしたとき、隣接するの絶縁体の上部の溝の形状が異なり、一方の段部を芯治具の固定用に利用し、溝を渡り線の保持用に利用することができるため、渡り線が内周側に寄ることなく外周側で保持でき、渡り線と内周側の回転子のエンドリングとの絶縁距離を十分に確保し、かつ絶縁体の形状を簡略化でき、絶縁体の金型加工工数の低減や成型を容易にできるという作用を有する。
【００２２】
また、前記絶縁体の両端上部の段部を有する溝を形成する柱を段部より低くし、かつ他方の１つの溝を形成する柱の高さと同等にしたものであり、溝に渡り線を外周方向のほぼ水平位置からも挿入でき、作業性を向上させるという作用を有する。
【００２３】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部のそれぞれに１つの溝を形成し、それぞれ溝の位置が径方向に異なるもので、４個の分割鉄心体ａを環状にしたとき、隣接するの絶縁体の上部の溝の形状が異なり、一方の内周側の溝を芯治具に固定するために利用し、他方の外周側の溝を渡り線の保持で利用することができるため、渡り線が内周側に寄ることなく外周側で保持でき、渡り線と内周側の回転子のエンドリングとの絶縁距離を十分に確保し、かつ絶縁体の形状を簡略化でき、絶縁体の金型加工工数の低減や成型を容易にできるという作用を有する。
【００２４】
また、前記絶縁体の両端上部の外周側の溝を形成する柱を内周側の溝を形成する柱より低くしたものであり、溝に渡り線を外周方向のほぼ水平位置からも挿入でき、作業性を向上させるという作用を有する。
【００２５】
また、前記絶縁体の両端上部の溝の深さが異なるもので、４個の分割鉄心体ａを環状にしたとき、隣接するの絶縁体の上部の溝の形状が異なり、２本の渡り線があるとき、渡り線を完全分離させ保持でき、絶縁体の形状を簡略化し、渡り線同士の電気的な不具合を防止するという作用を有する。
【００２６】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方に溝を形成し、他方に段差形状を形成したもので、４個の分割鉄心体ａを環状にしたとき、隣接するの絶縁体の上部の形状が異なり、一方の段差形状を芯治具の固定用に利用し、他方の溝を渡り線の保持用に利用することができるため、渡り線が内周側に寄ることなく外周側で保持でき、渡り線と内周側の回転子のエンドリングとの絶縁距離を十分に確保し、かつ絶縁体の形状を簡略化でき、絶縁体の金型加工工数の低減や成型を容易にできるという作用を有する。
【００２７】
また、前記絶縁体の両端上部の一方の溝を形成する柱を他方の段差より低くしたものであり、溝に渡り線を外周方向のほぼ水平位置からも挿入でき、作業性を向上させるという作用を有する。
【００２８】
また、歯部が積層された４個の分割鉄心体ａと、この分割鉄心体ａに狭持される継鉄部が積層された４個の分割鉄心体ｂとからなる固定子鉄心と、前記分割鉄心体ａに絶縁体を介し２極のＡ相巻線と２極のＢ相巻線とを交互に配列するように各々連続的に渡り線を配して直巻き巻装する固定子において、前記絶縁体は樹脂で成型され前記固定子鉄心の積層方向の端面を絶縁する巻回部と巻線を保持する内壁と外壁を設け、前記内壁の両端上部の一方のみに溝を形成したもので、４個の分割鉄心体ａを環状にしたとき、隣接するの絶縁体の上部の形状が異なり、一方の溝で渡り線の保持できるため、絶縁体の形状を簡略化でき、絶縁体の金型加工工数の低減や成型を容易にできるという作用を有する。
【００２９】
また、前記絶縁体の両端上部の溝を形成する柱の溝側をＲ形状としたもので、渡り線のダメージもしくは断線を防止できるという作用を有する。
【００３０】
以下、本発明の実施の形態について図面を参照しながら説明する。
【００３１】
（実施の形態１）
本発明の第１の実施の形態について、図１〜図７を参照しながら説明する。
【００３２】
図１〜図７に示すように、歯部が積層された４個の分割鉄心体ａ１と、この分割鉄心体ａ１に狭持される継鉄部が積層された４個の分割鉄心体ｂ２とからなる固定子鉄心３と、前記分割鉄心体ａ１に樹脂で成型され分割鉄心体ａ１の積層方向の端面を絶縁する巻回部４ａと巻線を保持する内壁４ｂと外壁４ｃを設けた絶縁体４を介し２極のＡ相巻線５と２極のＢ相巻線６とを交互に配列するように各々連続的に渡り線７を配して直巻き巻装し、分割鉄心体ｂ２を組み合わせて環状に一体化して固定子８を構成している。そして、ハウジング９と軸受け１０により回転自在に保持されたエンドリング１１を有した回転子１２を内在させ、組み合わせてコンデンサ電動機１３としている。
【００３３】
上記構成において、絶縁体４の内壁４ｂの両端上部にそれぞれ２つの溝４ｄを形成し、内周側の溝４ｄ−１を芯治具１４の固定用に利用し、外周側の溝４ｄ−２を渡り線７の保持用に利用し、渡り線７が内周側に寄ることなく外周側で保持できるため、渡り線７と内周側の回転子１２のエンドリング１１との絶縁距離１５を十分に確保できる。
【００３４】
また、絶縁体４の両端上部の２つの溝４ｄを形成する外周側の柱４ｅ−２が内周側の柱４ｅ−１より低くしたものであり、外周側の溝４ｄ−２に渡り線７を外周方向のほぼ水平位置からも挿入でき、作業性を向上させることができる。
【００３５】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００３６】
（実施の形態２）
本発明の第２の実施の形態について、図１〜図３および図８〜図１１を参照しながら説明する。第１の実施の形態と同様の構成については同じ符号を付し、詳細な説明を省略する。
【００３７】
図１〜図３および図８〜図１１において、絶縁体４の内壁４ｂの両端上部のそれぞれに段部４ｆを有する溝４ｄを形成したもので、段部４ｆを芯治具１４の固定用に利用し、溝４ｄを渡り線７の保持用に利用し、渡り線７が内周側に寄ることなく外周側で保持できるため、渡り線７と内周側の回転子１２のエンドリング１１との絶縁距離１５を十分に確保できる。
【００３８】
また、絶縁体４の両端上部の段部を有する溝を形成する柱４ｅ−３が段部４ｆより低くしたものであり、溝４ｄに渡り線７を外周方向のほぼ水平位置からも挿入でき、作業性を向上させることができる。
【００３９】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００４０】
（実施の形態３）
本発明の第３の実施の形態について、図１〜図３および図１２〜図１６を参照しながら説明する。第１の実施の形態と同様の構成については同じ符号を付し、詳細な説明を省略する。
【００４１】
図１〜図３および図１２〜図１６において、絶縁体４の内壁４ｂの両端上部の一方に２つの溝４ｄを形成し、他方に１つの溝４ｄを形成したもので、４個の分割鉄心体ａ１を環状にしたとき、隣接するの絶縁体４の上部の溝４ｄの形状が異なり、一方の２つの溝４ｄの内周側の溝４ｄ−１を芯治具１４に固定するために利用し、外周側の溝４ｄ−２を渡り線７の保持で利用することができるため、渡り線７が内周側に寄ることなく外周側で保持でき、渡り線７と内周側の回転子１２のエンドリング１１との絶縁距離１５を十分に確保し、かつ絶縁体４の形状を簡略化でき、絶縁体４の金型加工工数の低減や成型を容易にできる。
【００４２】
また、絶縁体４の両端上部の２つの溝４ｄを形成する外周側の柱４ｅ−２を内周側の柱４ｅ−１より低くし、かつ他方の１つの溝を形成する柱４ｅ−４の高さと同等にしたものであり、外周側の溝４ｄ−２に渡り線７を外周方向のほぼ水平位置からも挿入でき、作業性を向上させることができる。
【００４３】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００４４】
（実施の形態４）
本発明の第４の実施の形態について、図１〜図３および図１７〜図２０を参照しながら説明する。第１の実施の形態と同様の構成については同じ符号を付し、詳細な説明を省略する。
【００４５】
図１〜図３および図１７〜図２０において、絶縁体４の内壁４ｂの両端上部の一方に段部４ｆを有する溝４ｄを形成し、他方に１つの溝４ｄを形成したものであり、４個の分割鉄心体ａ１を環状にしたとき、隣接するの絶縁体４の上部の溝４ｄの形状が異なり、一方の段部４ｆを芯治具１４の固定用に利用し、溝４ｄを渡り線７の保持用に利用することができるため、渡り線７が内周側に寄ることなく外周側で保持でき、渡り線７と内周側の回転子１２のエンドリング１１との絶縁距離１５を十分に確保し、かつ絶縁体４の形状を簡略化でき、絶縁体４の金型加工工数の低減や成型を容易にできる。
【００４６】
また、絶縁体４の両端上部の段部を有する溝を形成する柱４ｅ−３を段部４ｆより低くし、かつ他方の１つの溝を形成する柱４ｅ−４の高さと同等にしたものであり、溝４ｄに渡り線７を外周方向のほぼ水平位置からも挿入でき、作業性を向上させることができる。
【００４７】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００４８】
（実施の形態５）
本発明の第５の実施の形態について、図１〜図３および図２１〜図２７を参照しながら説明する。第１の実施の形態と同様の構成については同じ符号を付し、詳細な説明を省略する。
【００４９】
図１〜図３および図２１〜図２７において、絶縁体４の両端上部にそれぞれに１つの溝４ｄを形成し、それぞれ溝４ｄの位置が径方向に異なるもので、４個の分割鉄心体ａ１を環状にしたとき、隣接するの絶縁体４の上部の溝４ｄの形状が異なり、一方の内周側の溝４ｄ−１を芯治具１４に固定するために利用し、他方の外周側の溝４ｄ−２を渡り線７の保持で利用することができるため、渡り線７が内周側に寄ることなく外周側で保持でき、渡り線７と内周側の回転子１２のエンドリング１１との絶縁距離１５を十分に確保し、かつ絶縁体４の形状を簡略化でき、絶縁体４の金型加工工数の低減や成型を容易にできる。
【００５０】
また、絶縁体４の両端上部の外周側の柱４ｅ−２を内周側の柱４ｅ−１より低くしたものであり、外周側の溝４ｄ−２に渡り線７を外周方向のほぼ水平位置からも挿入でき、作業性を向上させることができる。
【００５１】
また、絶縁体４の両端上部の溝４ｄの深さが異なるもので、４個の分割鉄心体ａ１を環状にしたとき、隣接するの絶縁体４の上部の溝４ｄの形状が異なり、２本の渡り線７があるとき、渡り線７を完全分離させ保持でき、絶縁体４の形状を簡略化し、渡り線７同士の電気的な不具合を防止できる。
【００５２】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００５３】
（実施の形態６）
本発明の第６の実施の形態について、図１〜図３および図２８〜図３１を参照しながら説明する。第１の実施の形態と同様の構成については同じ符号を付し、詳細な説明を省略する。
【００５４】
図１〜図３および図２８〜図３１において、絶縁体４の内壁４ｂの両端上部の一方に溝４ｄを形成し、他方に段差形状４ｇを形成したもので、４個の分割鉄心体ａ１を環状にしたとき、隣接するの絶縁体４の上部の形状が異なり、一方の段差形状４ｇを芯治具１４の固定用に利用し、他方の溝４ｄを渡り線７の保持用に利用することができるため、渡り線７が内周側に寄ることなく外周側で保持でき、渡り線７と内周側の回転子１２のエンドリング１１との絶縁距離１５を十分に確保し、かつ絶縁体４の形状を簡略化でき、絶縁体４の金型加工工数の低減や成型を容易にできる。
【００５５】
また、絶縁体４の両端上部の一方の溝を形成する柱４ｅ−４を他方の段差形状４ｇより低くしたものであり、溝４ｄに渡り線７を外周方向のほぼ水平位置からも挿入でき、作業性を向上させることができる。
【００５６】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【００５７】
（実施の形態７）
本発明の第７の実施の形態について、図１〜図３および図３２〜図３４を参照しながら説明する。第１の実施の形態と同様の構成については同じ符号を付し、詳細な説明を省略する。
【００５８】
図１〜図３および図３２〜図３４において、絶縁体４の内壁４ｂの両端上部の一方のみに溝４ｄの形成したもので、４個の分割鉄心体ａ１を環状にしたとき、隣接するの絶縁体４の上部の形状が異なり、一方の溝４ｄで渡り線７の保持できるため、絶縁体４の形状を簡略化でき、絶縁体４の金型加工工数の低減や成型を容易にできる。
【００５９】
また、絶縁体４の両端上部の溝を形成する柱４ｅ−４の溝４ｄ側をＲ形状４ｈとしたもので、渡り線７のダメージもしくは断線を防止できる。
【００６０】
なお、歯部が積層された４個の分割鉄心体ａ１と、この分割鉄心体ａ１に狭持される継鉄部が積層された４個の分割鉄心体ｂ２とからなる固定子鉄心３としたが、図３５に示すようにスロット１６の数と同数に分割した分割鉄心体１７からなる固定子鉄心１８の絶縁体４でもその作用に差異を生じない。
【産業上の利用可能性】
【００６１】
本発明にかかるコンデンサ電動機の固定子は、渡り線と内周側の回転子のエンドリングとの絶縁距離を十分に確保し、もしくは絶縁体の形状を簡略化できるため、コンデンサ電動機を小型化にすることができ、換気装置など２４時間連続運転する小風量機器の搭載や、ファンモータへの搭載が有用である。
【図面の簡単な説明】
【００６２】
【図１】本発明の実施の形態１〜７のコンデンサ電動機の固定子と回転子の正面図
【図２】同固定子鉄心を示す正面図
【図３】同コンデンサ電動機を示す断面図
【図４】本発明の実施の形態１の溝を形成する絶縁体の斜視図
【図５】同芯治具に固定した２つの溝を形成する同絶縁体の要部拡大図
【図６】同２つの溝を形成する柱を低くした同絶縁体の斜視図
【図７】同芯治具に固定した２つの溝を形成する柱の低い同絶縁体の要部拡大図
【図８】本発明の実施の形態２の段部を有する溝を形成する絶縁体の斜視図
【図９】同芯治具に固定した段部を有する溝を形成する同絶縁体の要部拡大図
【図１０】同段部を有する溝を形成する柱を低くした同絶縁体の斜視図
【図１１】同芯治具に固定した段部を有する溝を形成する柱の低い同絶縁体の要部拡大図
【図１２】本発明の実施の形態３の一方を２つの溝を形成する絶縁体の斜視図
【図１３】同芯治具に固定した一方に２つの溝を形成する同絶縁体の要部拡大図
【図１４】同芯治具に固定した一方に２つの溝を形成する同固定子の斜視図
【図１５】同一方に２つの溝を形成し柱を低くした同絶縁体の斜視図
【図１６】同芯治具に固定した一方に２つの溝を形成し柱の低い同絶縁体の要部拡大図
【図１７】本発明の実施の形態４の一方に段部を有する溝を形成する絶縁体の斜視図
【図１８】同芯治具に固定した一方に段部を有する溝を形成する同絶縁体の要部拡大図
【図１９】同一方に段部を有する溝を形成し柱を低くした同絶縁体の斜視図
【図２０】同芯治具に固定した一方に段部を有する溝を形成し柱の低い同絶縁体の要部拡大図
【図２１】本発明の実施の形態５の径方向に異なる溝を形成する絶縁体の斜視図
【図２２】同芯治具に固定した径方向に異なる溝を形成する同絶縁体の要部拡大図
【図２３】同径方向に異なる溝を形成し柱を低くした同絶縁体の斜視図
【図２４】同芯治具に固定した径方向に異なる溝を形成し柱の低い同絶縁体の要部拡大図
【図２５】同深さの異なる溝を形成する同絶縁体の斜視図
【図２６】同渡り線が２本の場合の同固定子の斜視図
【図２７】同渡り線が２本の場合の同絶縁体の要部拡大図
【図２８】本発明の実施の形態６の一方を段差形状とする絶縁体の斜視図
【図２９】同芯治具に固定した一方を段差形状とする同絶縁体の要部拡大図
【図３０】同一方を段差形状とし柱を低くした同絶縁体の斜視図
【図３１】同芯治具に固定した一方を段差形状とし柱の低い同絶縁体の要部拡大図
【図３２】本発明の実施の形態７の一方のみを溝の形状とする絶縁体の斜視図
【図３３】同芯治具に固定した一方のみを溝の形状とする同絶縁体の要部拡大図
【図３４】同溝を形成する柱の溝側とＲ形状とする同絶縁体の要部拡大図
【図３５】スロット数と同数に分割する固定子の正面図
【図３６】従来のコンデンサ電動機の固定子を示す正面図
【符号の説明】
【００６３】
１    分割鉄心体ａ
２    分割鉄心体ｂ
３    固定子鉄心
４    絶縁体
４ａ  巻回部
４ｂ  内壁
４ｃ  外壁
４ｄ  溝
４ｄ−１  内周側の溝
４ｄ−２  外周側の溝
４ｅ−１  内周側の柱
４ｅ−２  外周側の柱
４ｅ−３  段部を有する溝を形成する柱
４ｅ−４  溝を形成する柱
４ｆ  段部
４ｇ  段差形状
４ｈ  Ｒ形状
５    Ａ相巻線
６    Ｂ相巻線
７    渡り線
８    固定子
９    ハウジング
１０  軸受け
１１  エンドリング
１２  回転子
１３  コンデンサ電動機
１４  芯治具
１５  絶縁距離
１６  スロット
１７  分割鉄心体
１８  固定子鉄心
【図１】
2007097328.tif 000003
【図２】
2007097328.tif 000004
【図３】
2007097328.tif 000005
【図４】
2007097328.tif 000006
【図５】
2007097328.tif 000007
【図６】
2007097328.tif 000008
【図７】
2007097328.tif 000009
【図８】
2007097328.tif 000010
【図９】
2007097328.tif 000011
【図１０】
2007097328.tif 000012
【図１１】
2007097328.tif 000013
【図１２】
2007097328.tif 000014
【図１３】
2007097328.tif 000015
【図１４】
2007097328.tif 000016
【図１５】
2007097328.tif 000017
【図１６】
2007097328.tif 000018
【図１７】
2007097328.tif 000019
【図１８】
2007097328.tif 000020
【図１９】
2007097328.tif 000021
【図２０】
2007097328.tif 000022
【図２１】
2007097328.tif 000023
【図２２】
2007097328.tif 000024
【図２３】
2007097328.tif 000025
【図２４】
2007097328.tif 000026
【図２５】
2007097328.tif 000027
【図２６】
2007097328.tif 000028
【図２７】
2007097328.tif 000029
【図２８】
2007097328.tif 000030
【図２９】
2007097328.tif 000031
【図３０】
2007097328.tif 000032
【図３１】
2007097328.tif 000033
【図３２】
2007097328.tif 000034
【図３３】
2007097328.tif 000035
【図３４】
2007097328.tif 000036
【図３５】
2007097328.tif 000037
【図３６】
2007097328.tif 000038